(57)【要約】【課題】複数の面光源をなるべく隙間無く並べて配置することを可能とし、且つ、面光源が意図せず脱落してしまう可能性を低減する。【解決手段】発光装置は、面光源１００と、光源固定装置２００と、面光源１００と光源固定装置２００とを相互に連結する連結部材（例えば、第１連結部材３１１および第２連結部材３１２）と、を備える。連結部材は、面光源１００と光源固定装置２００とを相互に連結した状態で、面光源１００と光源固定装置２００との対向間隔を可変とさせるものである。面光源１００を光源固定装置２００側に移動させて、対向間隔を第１対向間隔とすることにより、面光源１００が光源固定装置２００に設置された設置状態となる。また、対向間隔を第１対向間隔よりも大きい第２対向間隔にした状態において、面光源１００を光源固定装置２００から分離可能である。【選択図】図１
2014235865.tif 000002
【特許請求の範囲】
【請求項１】
面光源と、
光源固定装置と、
前記面光源と前記光源固定装置とを相互に連結した状態で前記面光源と前記光源固定装置との対向間隔を可変とさせる連結部材と、
を備え、
前記連結部材を介して前記面光源と前記光源固定装置とを相互に連結した状態で前記面光源を前記光源固定装置側に移動させて、前記対向間隔を第１対向間隔とすることにより、前記面光源が前記光源固定装置に設置された設置状態となり、
前記連結部材を介して前記面光源と前記光源固定装置とを相互に連結した状態で、前記対向間隔を前記第１対向間隔よりも大きい第２対向間隔にした状態において、前記面光源を前記光源固定装置から分離可能である発光装置。
【請求項２】
前記連結部材を介して前記面光源と前記光源固定装置とを相互に連結した状態で、前記面光源をその面直方向に移動させることにより、前記対向間隔が変化する請求項１に記載の発光装置。
【請求項３】
前記連結部材が前記面光源に対して平行な第１回転軸周りに回動可能となるように、前記連結部材を前記面光源に対して軸支する第１軸支部と、
前記連結部材が前記第１回転軸に対して平行な第２回転軸周りに回動可能となるように、前記連結部材を前記光源固定装置に対して軸支する第２軸支部と、
前記第１軸支部を前記面光源に沿って案内する第１案内部と、
前記第２軸支部を前記光源固定装置に沿って案内する第２案内部と、
を備える請求項２に記載の発光装置。
【請求項４】
前記第１案内部は、前記第１軸支部を案内する第１ガイドレールを含み、
前記第２案内部は、前記第２軸支部を案内する第２ガイドレールを含む請求項３に記載の発光装置。
【請求項５】
前記第１案内部と前記第２案内部とは、前記面光源の面直方向に見たときの位置が互いに異なり、前記対向間隔を前記第１対向間隔としたときに、前記第１案内部と前記第２案内部とが互いに干渉しない請求項３又は４に記載の発光装置。
【請求項６】
前記光源固定装置は、外部電源から供給される電力を前記面光源へ供給する給電端子部を有し、
前記面光源は、前記外部電源から供給される電力を受電する受電端子部を有し、
前記対向間隔を前記第１対向間隔とすることにより、前記給電端子部と前記受電端子部とが相互に電気的に接続される請求項１〜５の何れか一項に記載の発光装置。
【請求項７】
前記対向間隔を前記第１対向間隔とすることにより、前記給電端子部と前記受電端子部とが前記連結部材を介して相互に電気的に接続される請求項６に記載の発光装置。
【請求項８】
請求項１〜７の何れか一項に記載の発光装置の前記面光源と前記光源固定装置とを相互に連結する連結装置であって、
少なくとも前記連結部材を有する連結装置。
【請求項９】
前記連結部材を介して前記光源固定装置から前記面光源へ電力を供給可能である請求項８に記載の連結装置。
【請求項１０】
請求項３〜５の何れか一項に記載の発光装置の前記面光源であって、前記第１案内部を有する面光源。
【請求項１１】
前記第１案内部は、外部電源から供給される電力を受電する受電端子部を有している請求項１０に記載の面光源。
【請求項１２】
前記第２対向間隔は、前記連結部材を介して前記面光源と前記光源固定装置とを相互に連結した状態での最大の前記対向間隔である請求項１０又は１１に記載の面光源。
【請求項１３】
請求項３〜５の何れか一項に記載の発光装置の前記光源固定装置であって、前記第２案内部を有する光源固定装置。
【請求項１４】
前記第２案内部は、外部電源から供給される電力を前記面光源へ供給する給電端子部を有する請求項１３に記載の光源固定装置。
【発明の詳細な説明】
【技術分野】
【０００１】
本発明は、発光装置、連結装置、面光源および光源固定装置に関する。
【背景技術】
【０００２】
面光源を壁や天井等に設置するための技術としては、例えば、特許文献１、２の技術がある。
【０００３】
特許文献１には、面光源を収容する筐体と、面光源に側方から係合して該面光源を着脱可能に保持する保持部材と、筐体を筐体に出し入れする方向に保持部材を揺動させる揺動機構と、を備える照明器具が記載されている。
【０００４】
特許文献２には、面光源と、面光源が装着される装着部とが、それらの一端部どうしで互いに回動可能に係合する照明装置が記載されている。面光源の一端部を装着部の一端部に係合させた状態で、面光源が装着部に重なるように面光源を回動させ、面光源の他端部を装着部に他端部に対して係合させることにより、面光源が装着部によって保持されるようになっている。面光源の他端部を装着部の他端部に対して係合させるには、面光源を装着部に対して相対的に他端側にスライドさせるか、又は、面光源の他端部を装着部側に押し込む。
【先行技術文献】
【特許文献】
【０００５】
【特許文献１】特開２００７−２５０３０３号公報
【特許文献２】特開２０１２−１９９２１９号公報
【発明の概要】
【発明が解決しようとする課題】
【０００６】
面光源を壁や天井に配置する場合、複数の面光源をなるべく隙間無く並べて配置することが望まれている。しかし、特許文献１の技術では、保持部材によって面光源を側方から保持し、且つ、揺動機構によって保持部材を揺動させるため、面光源の側方に保持部材と揺動機構の配置スペースが必要である。このため、面光源どうしの間隔が大きく空いてしまう。
【０００７】
また、特許文献２の技術では、面光源を誤って装着部に対してスライドさせるなどによって、面光源の他端部と装着部の他端部との係合が外れてしまうと、面光源が装着部から脱落してしまう可能性がある。
【０００８】
本発明が解決しようとする課題としては、複数の面光源をなるべく隙間無く並べて配置することを可能とし、且つ、面光源が意図せず脱落してしまう可能性を低減することが一例として挙げられる。
【課題を解決するための手段】
【０００９】
請求項１に記載の発明は、
面光源と、
光源固定装置と、
前記面光源と前記光源固定装置とを相互に連結した状態で前記面光源と前記光源固定装置との対向間隔を可変とさせる連結部材と、
を備え、
前記連結部材を介して前記面光源と前記光源固定装置とを相互に連結した状態で前記面光源を前記光源固定装置側に移動させて、前記対向間隔を第１対向間隔とすることにより、前記面光源が前記光源固定装置に設置された設置状態となり、
前記連結部材を介して前記面光源と前記光源固定装置とを相互に連結した状態で、前記対向間隔を前記第１対向間隔よりも大きい第２対向間隔にした状態において、前記面光源を前記光源固定装置から分離可能である発光装置である。
【００１０】
請求項８に記載の発明は、
請求項１〜７の何れか一項に記載の発光装置の前記面光源と前記光源固定装置とを相互に連結する連結装置であって、
少なくとも前記連結部材を有する連結装置である。
【００１１】
請求項１０に記載の発明は、
請求項３〜５の何れか一項に記載の発光装置の前記面光源であって、前記第１案内部を有する面光源である。
【００１２】
請求項１３に記載の発明は、
請求項３〜５の何れか一項に記載の発光装置の前記光源固定装置であって、前記第２案内部を有する光源固定装置である。
【図面の簡単な説明】
【００１３】
【図１】実施形態に係る発光装置の斜視図である。
【図２】図２（ａ）〜（ｃ）は実施形態に係る発光装置の正面図である。
【図３】実施形態に係る発光装置の連結装置等を示す平面図である。
【図４】図４（ａ）〜（ｃ）は実施形態に係る発光装置の面光源の例を示す正面図である。
【図５】図５（ａ）〜（ｄ）は実施形態に係る発光装置の連結装置の例を示す正面図である。
【図６】図６（ａ）〜（ｃ）は実施形態に係る発光装置の光源固定装置の例を示す正面図である。
【図７】実施形態に係る発光装置の面光源の発光パネルの構成の例を示す断面図である。
【図８】発光パネルの有機機能層の層構造の第１例を示す断面図である。
【図９】発光パネルの有機機能層の層構造の第２例を示す断面図である。
【図１０】図１０（ａ）および（ｂ）は実施例１に係る発光装置の正面図である。
【図１１】図１１（ａ）は実施例２に係る発光装置の正面図、図１１（ｂ）は実施例２に係る発光装置の連結装置等を示す平面図である。
【図１２】図１２（ａ）および（ｂ）は実施例２に係る発光装置の面光源の例を示す正面図である。
【図１３】図１３（ａ）および（ｂ）は実施例２に係る発光装置の連結装置の例を示す正面図である。
【図１４】図１４（ａ）および（ｂ）は実施例２に係る発光装置の光源固定装置の例を示す正面図である。
【図１５】図１５（ａ）は実施例３に係る発光装置の正面図、図１５（ｂ）は実施例３に係る発光装置の連結装置等を示す平面図である。
【図１６】図１６（ａ）〜（ｃ）は実施例３に係る発光装置の面光源の例を示す正面図である。
【図１７】図１７（ａ）〜（ｄ）は実施例３に係る発光装置の連結装置の例を示す正面図である。
【図１８】図１８（ａ）〜（ｃ）は実施例３に係る発光装置の光源固定装置の例を示す正面図である。
【発明を実施するための形態】
【００１４】
以下、実施の形態について、図面を用いて説明する。尚、すべての図面において、同様の構成要素には同一の符号を付し、適宜説明を省略する。
【００１５】
図１は実施形態に係る発光装置の斜視図である。図２（ａ）〜（ｃ）は実施形態に係る発光装置の正面図である。このうち図２（ａ）は面光源１００と光源固定装置２００との対向間隔を第１対向間隔よりも広げた状態を示す。図２（ｂ）は面光源１００と光源固定装置２００との対向間隔を第１対向間隔とした状態を示す。図２（ｃ）は面光源１００と光源固定装置２００との対向間隔を第２対向間隔とした状態を示す。図３は実施形態に係る発光装置の連結装置３００等を示す平面図である。本実施形態に係る発光装置の面光源１００は、例えば、ディスプレイ、照明装置、又は光通信装置の光源として用いることができる。
【００１６】
本実施形態に係る発光装置は、面光源１００と、光源固定装置２００と、面光源１００と光源固定装置２００とを相互に連結する連結部材（例えば、第１連結部材３１１および第２連結部材３１２）と、を備えている。連結部材は、面光源１００と光源固定装置２００とを相互に連結した状態で、面光源１００と光源固定装置２００との対向間隔Ｔ（図２（ａ）〜（ｃ））を可変とさせるものである。連結部材を介して面光源１００と光源固定装置２００とを相互に連結した状態で面光源１００を光源固定装置２００側に移動させて、対向間隔Ｔを第１対向間隔とすることにより、面光源１００が光源固定装置２００に設置された設置状態となる（図２（ｂ））。また、連結部材を介して面光源１００と光源固定装置２００とを相互に連結した状態で、対向間隔Ｔを第１対向間隔よりも大きい第２対向間隔にした状態（例えば図２（ｃ）の状態）において、面光源１００を光源固定装置２００から分離可能である。
【００１７】
なお、面光源１００と光源固定装置２００とが、互いに平行な面どうしで対向する場合、対向間隔Ｔは、それら面どうしの間隔（距離）である。一方、面光源１００と光源固定装置２００とが、互いに平行ではない面どうしで対向する場合、対向間隔Ｔは、それら面どうしの最短距離であるものとする。
本実施形態の場合、具体的には、例えば、図２（ａ）に示すように、面光源１００の発光パネル１０１における光源固定装置２００側の面である第２面１０１ｂと、光源固定装置２００のベース部材２０１における面光源１００側の面である第１面２０１ａと、が互いに平行に配置されている。そして、第２面１０１ｂと第１面２０１ａとの間隔（距離）が、対向間隔Ｔである。
【００１８】
以下においては、説明を簡単にするため、発光装置の各構成要素の位置関係（上下関係等）が各図に示す関係であるものとして説明を行う場合がある。ただし、この説明における位置関係は、発光装置の使用時や製造時の位置関係とは無関係である。
【００１９】
面光源１００は、パネル状（板状）の発光パネル１０１を少なくとも備えている。発光パネル１０１の一方の面である第１面１０１ａは、光を出射する発光面（光取り出し面）となっている。発光パネル１０１の他方の面は、上記の第２面１０１ｂである。
【００２０】
光源固定装置２００は、板状のベース部材２０１を少なくとも備えている。ベース部材２０１の一方の面は、上記の第１面２０１ａであり、ベース部材２０１の他方の面である第２面２０１ｂ（図２（ａ））は、天井面や壁面などに固定される面である。
【００２１】
なお、面光源１００の面直方向に発光装置を見たときに、面光源１００の外形線、すなわち発光パネル１０１の外形線から、光源固定装置２００がはみ出さないように、光源固定装置２００の寸法が設定されていることが好ましい。なお、本実施形態の場合、例えば、面光源１００の面直方向に発光装置を見たときに、面光源１００の外形線（発光パネル１０１の外形線）と、光源固定装置２００の外形線（ベース部材２０１の外形線）とが一致するようになっている。
【００２２】
本実施形態に係る発光装置は、連結装置３００を含んでいる。連結装置３００は、面光源１００と光源固定装置２００とを、互いの対向間隔Ｔが可変な状態で相互に連結するものであり、少なくとも上記の連結部材（例えば、第１連結部材３１１および第２連結部材３１２）を有している。
【００２３】
連結装置３００は、第２面１０１ｂと第１面２０１ａとを相互に連結する。また、連結装置３００は、面光源１００の面直方向に発光装置を見たときに、面光源１００の外形線（発光パネル１０１の外形線）からはみ出さないように配置される。
【００２４】
連結部材は、面光源１００をその面直方向へと光源固定装置２００に対して相対移動可能となるように、面光源１００と光源固定装置２００とを相互に連結する。つまり、連結部材を介して面光源１００と光源固定装置２００とを相互に連結した状態で、面光源１００をその面直方向に移動させることにより、対向間隔Ｔが変化するように、発光装置は構成されている。具体的には、例えば、後述するように、Ｘリンクであるリンク部材３１０を介して面光源１００と光源固定装置２００とを相互に連結することによって、面光源１００がその面直方向に、光源固定装置２００に対して相対移動するようになっている。
【００２５】
発光装置は、更に、第１軸支部（例えば軸支部３２０および軸支部３３０）と、第２軸支部（例えば軸支部３４０および軸支部３５０）と、第１案内部（例えばガイドレール３６１ａを含む案内部３６０およびガイドレール３７１ａを含む案内部３７０）と、第２案内部（例えばガイドレール３８１ａを含む案内部３８０およびガイドレール３９１ａを含む案内部３９０）と、を備えている。
【００２６】
軸支部３２０は、面光源１００に対して平行な回転軸（１つ目の第１回転軸）周りに、第１連結部材３１１が面光源１００に対して相対的に回動可能となるように、第１連結部材３１１の一端部を面光源１００に対して軸支する。より具体的には、例えば、第１連結部材３１１の一端部に設けられた軸支部３２０が、ガイドレール３６１ａに保持されることにより、第１連結部材３１１が面光源１００に軸支されている。同様に、軸支部３３０は、面光源１００に対して平行な回転軸（２つ目の第１回転軸）周りに、第２連結部材３１２が面光源１００に対して相対的に回動可能となるように、第２連結部材３１２の一端部を面光源１００に対して軸支する。より具体的には、例えば、第２連結部材３１２の一端部に設けられた軸支部３３０が、ガイドレール３７１ａに保持されることにより、第２連結部材３１２が面光源１００に軸支されている。なお、１つ目の第１回転軸と２つ目の第１回転軸とは互いに平行である。
【００２７】
軸支部３４０は、第１回転軸に対して平行な回転軸（１つ目の第２回転軸）周りに、第１連結部材３１１が光源固定装置２００に対して相対的に回動可能となるように、第１連結部材３１１の他端部を光源固定装置２００に対して軸支する。より具体的には、例えば、第１連結部材３１１の他端部に設けられた軸支部３４０が、ガイドレール３８１ａに保持されることにより、第１連結部材３１１が光源固定装置２００に軸支されている。同様に、軸支部３５０は、第１回転軸に対して平行な回転軸（２つ目の第２回転軸）周りに、第２連結部材３１２が光源固定装置２００に対して相対的に回動可能となるように、第２連結部材３１２の他端部を光源固定装置２００に対して軸支する。より具体的には、例えば、第２連結部材３１２の他端部に設けられた軸支部３５０が、ガイドレール３９１ａに保持されることにより、第２連結部材３１２が光源固定装置２００に軸支されている。１つ目の第２回転軸と２つ目の第２回転軸とは互いに平行である。
【００２８】
ガイドレール（第１ガイドレール）３６１ａは、軸支部３２０を面光源１００に沿って案内する。ガイドレール３６１ａにより軸支部３２０を案内する方向（つまりガイドレール３６１ａの長手方向）は、例えば、面光源１００の第２面１０１ｂに対して平行で、且つ、１つ目の第１回転軸に対して直交する方向である。同様に、ガイドレール（第１ガイドレール）３７１ａは、軸支部３３０を面光源１００に沿って案内する。ガイドレール３７１ａにより軸支部３３０を案内する方向（つまりガイドレール３７１ａの長手方向）は、例えば、面光源１００の第２面１０１ｂに対して平行で、且つ、２つ目の第１回転軸に対して直交する方向である。ガイドレール３６１ａにより軸支部３２０を案内する方向と、ガイドレール３７１ａにより軸支部３３０を案内する方向とは、互いに平行である。
【００２９】
ガイドレール（第２ガイドレール）３８１ａは、軸支部３４０を光源固定装置２００に沿って案内する。ガイドレール３８１ａにより軸支部３４０を案内する方向（つまりガイドレール３８１ａの長手方向）は、例えば、光源固定装置２００の第１面２０１ａに対して平行で、且つ、１つ目の第２回転軸に対して直交する方向である。同様に、ガイドレール（第２ガイドレール）３９１ａは、軸支部３５０を光源固定装置２００に沿って案内する。ガイドレール３９１ａにより軸支部３５０を案内する方向（つまりガイドレール３９１ａの長手方向）は、例えば、光源固定装置２００の第１面２０１ａに対して平行で、且つ、２つ目の第２回転軸に対して直交する方向である。ガイドレール３８１ａにより軸支部３４０を案内する方向と、ガイドレール３９１ａにより軸支部３５０を案内する方向とは、互いに平行である。更に言えば、ガイドレール３６１ａにより軸支部３２０を案内する方向と、ガイドレール３７１ａにより軸支部３３０を案内する方向と、ガイドレール３８１ａにより軸支部３４０を案内する方向と、ガイドレール３９１ａにより軸支部３５０を案内する方向とは、互いに平行である。
【００３０】
このように、２つの第１回転軸、並びに、２つの第２回転軸は、固定軸ではなく、ガイドレール（ガイドレール３６１ａ、３７１ａ、３８１ａ、３９１ａの何れか）に沿って移動可能である。
【００３１】
第１連結部材３１１および第２連結部材３１２は、例えば、それぞれ長尺な板状に形成されている。例えば、第１連結部材３１１と第２連結部材３１２とは、連結軸３１３により相互に軸支されて、リンク部材３１０を構成している。本実施形態の場合、このリンク部材３１０は、Ｘリンクである。すなわち、第１連結部材３１１の長手方向における中間部（例えば中央部）と、第２連結部材３１２の長手方向における中間部（例えば中央部）とが、連結軸３１３により相互に軸支されている。これにより、第１連結部材３１１と第２連結部材３１２とは、連結軸３１３を中心として、互いに回動可能となっている。なお、第１連結部材３１１の一方の板面と第２連結部材３１２の一方の板面とが互いに対向している。連結軸３１３の軸方向は、第１連結部材３１１の板面および第２連結部材３１２の板面に対して直交している。更に、連結軸３１３の軸方向は、上記の第１回転軸（２つの第１回転軸）および第２回転軸（２つの第２回転軸）に対して平行となっている。連結軸３１３は、例えば円柱形状の部材であり、第１連結部材３１１と第２連結部材３１２とによってそれぞれ軸受けされている。
【００３２】
面光源１００の第２面１０１ｂには、ガイドレール３６１ａを含む案内部３６０が固定されている。案内部３６０は、そのガイドレール３６１ａによって、第１連結部材３１１の一端部に設けられた軸支部３２０を保持する。案内部３６０は、例えば、第１板状部３６１と、第１板状部３６１に対して直交して配置された第２板状部３６２と、を備えている。第１板状部３６１は、その板面が第１回転軸方向（１つ目の第１回転軸方向）を向くように配置されている。第１板状部３６１は、ガイドレール３６１ａの長手方向に長尺に形成されている。第１板状部３６１には、例えば、該第１板状部３６１の表裏を貫通するスリットが、該第１板状部３６１の長手方向に沿って直線状に形成されている。このスリットによりガイドレール３６１ａが構成されている。
【００３３】
軸支部３２０は、例えば円柱形状の部材であり、第１連結部材３１１の一端部に設けられている。より具体的には、軸支部３２０は、第１連結部材３１１の一方の板面より、第１回転軸方向（１つ目の第１回転軸方向）に突出している。軸支部３２０は、ガイドレール３６１ａに挿入されて、ガイドレール３６１ａにより保持されている。
【００３４】
更に、面光源１００の第２面１０１ｂには、ガイドレール３７１ａを含む案内部３７０が固定されている。案内部３７０は案内部３６０と同様のものである。すなわち、案内部３７０は、そのガイドレール３７１ａによって、第２連結部材３１２の一端部に設けられた軸支部３３０を保持する。案内部３７０は、例えば、第１板状部３７１と、第１板状部３７１に対して直交して配置された第２板状部３７２と、を備えている。第１板状部３７１は、その板面が第１回転軸方向（２つ目の第１回転軸方向）を向くように配置されている。第１板状部３７１は、ガイドレール３７１ａの長手方向に長尺に形成されている。第１板状部３７１には、例えば、該第１板状部３７１の表裏を貫通するスリットが、該第１板状部３７１の長手方向に沿って直線状に形成されている。このスリットによりガイドレール３７１ａが構成されている。
【００３５】
軸支部３３０は、例えば円柱形状の部材であり、第２連結部材３１２の一端部に設けられている。より具体的には、軸支部３３０は、第２連結部材３１２の一方の板面より、第１回転軸方向（２つ目の第１回転軸方向）に突出している。軸支部３３０は、ガイドレール３７１ａに挿入されて、ガイドレール３７１ａにより保持されている。
【００３６】
また、光源固定装置２００の第１面２０１ａには、ガイドレール３８１ａを含む案内部３８０が固定されている。案内部３８０は、そのガイドレール３８１ａによって、第１連結部材３１１の他端部に設けられた軸支部３４０を保持する。案内部３８０は、例えば、第１板状部３８１と、第１板状部３８１に対して直交して配置された第２板状部３８２と、を備えている。第１板状部３８１は、その板面が第２回転軸方向（１つ目の第２回転軸方向）を向くように配置されている。第１板状部３８１は、ガイドレール３８１ａの長手方向に長尺に形成されている。第１板状部３８１には、例えば、該第１板状部３８１の表裏を貫通するスリットが、該第１板状部３８１の長手方向に沿って直線状に形成されている。このスリットによりガイドレール３８１ａが構成されている。
【００３７】
軸支部３４０は、例えば円柱形状の部材であり、第１連結部材３１１の他端部に設けられている。より具体的には、軸支部３４０は、第１連結部材３１１の一方の板面より、第２回転軸方向（１つ目の第２回転軸方向）に突出している。軸支部３４０は、ガイドレール３８１ａに挿入されて、ガイドレール３８１ａにより保持されている。
【００３８】
更に、光源固定装置２００の第１面２０１ａには、ガイドレール３９１ａを含む案内部３９０が固定されている。案内部３９０は案内部３８０と同様のものである。すなわち、案内部３９０は、そのガイドレール３９１ａによって、第２連結部材３１２の他端部に設けられた軸支部３５０を保持する。案内部３９０は、例えば、第１板状部３９１と、第１板状部３９１に対して直交して配置された第２板状部３９２と、を備えている。第１板状部３９１は、その板面が第２回転軸方向（２つ目の第２回転軸方向）を向くように配置されている。第１板状部３９１は、ガイドレール３９１ａの長手方向に長尺に形成されている。第１板状部３９１には、例えば、該第１板状部３９１の表裏を貫通するスリットが、該第１板状部３９１の長手方向に沿って直線状に形成されている。このスリットによりガイドレール３９１ａが構成されている。
【００３９】
軸支部３５０は、例えば円柱形状の部材であり、第２連結部材３１２の他端部に設けられている。より具体的には、軸支部３５０は、第２連結部材３１２の一方の板面より、第２回転軸方向（２つ目の第２回転軸方向）に突出している。軸支部３５０は、ガイドレール３９１ａに挿入されて、ガイドレール３９１ａにより保持されている。
【００４０】
なお、第１板状部３６１、３７１、３８１、３９１は、互いに平行に配置されている。また、第２板状部３６２、３７２、３８２、３９２は、互いに平行に配置されている。
【００４１】
以上により、面光源１００と光源固定装置２００とは、互いの対向間隔Ｔが可変となるように、リンク部材３１０を介して相互に連結されている。
【００４２】
面光源１００を光源固定装置２００側に押し込むことにより、対向間隔Ｔを狭めることができる。つまり、例えば図２（ｃ）の状態から図２（ａ）の状態への動作や、図２（ｃ）の状態から図２（ｂ）の状態への動作などが可能である。
また、面光源１００を光源固定装置２００から離間する方向へ引っ張ることにより、対向間隔Ｔを広げることができる。つまり、例えば図２（ｂ）の状態から図２（ａ）の状態への動作や、図２（ｂ）の状態から図２（ｃ）の状態への動作などが可能である。
対向間隔Ｔが変化する際には、軸支部３２０、３３０、３４０、３５０がそれぞれガイドレール３６１ａ、３７１ａ、３８１ａ、３９１ａに沿って移動するとともに、第１連結部材３１１と第２連結部材３１２とのなす角度α（図２（ａ））が変化する。
なお、軸支部３２０、３３０、３４０、３５０は、それぞれガイドレール３６１ａ、３７１ａ、３８１ａ、３９１ａに対して、ある程度以上の大きさの摩擦力で接している。このため、ある程度以上の大きさの力で面光源１００を光源固定装置２００側に押し込んだり、光源固定装置２００から離間する方向へ引っ張ったりしなければ、対向間隔Ｔが変化しないようになっている。
【００４３】
例えば、図２（ｂ）に示すように、対向間隔Ｔを第１対向間隔とした状態では、第１連結部材３１１が面光源１００および光源固定装置２００に対して平行になるようになっている。同様に、第２連結部材３１２も、対向間隔Ｔを第１対向間隔とした状態では、面光源１００および光源固定装置２００に対して平行になるようになっている。
【００４４】
このとき、例えば、案内部３６０および３７０における光源固定装置２００側の面（端面）がそれぞれ第１面２０１ａに当接するとともに、案内部３８０および３９０における面光源１００側の面（端面）がそれぞれ第２面１０１ｂに当接するようになっている。
これらにより、対向間隔Ｔを極力狭めた状態で、面光源１００を光源固定装置２００に対して設置することができるので、発光装置の厚みを極力抑制することができる。
【００４５】
なお、第１対向間隔は、例えば、第１連結部材３１１および第２連結部材３１２を介して面光源１００と光源固定装置２００とを相互に連結した状態での最小の対向間隔Ｔである。
【００４６】
また、図２（ｃ）に示すように、対向間隔Ｔを第２対向間隔とした状態では、軸支部３２０をガイドレール３６１ａから、軸支部３３０をガイドレール３７１ａから、それぞれ取り外すことができるようになっている。つまり、連結部材を介して面光源１００と光源固定装置２００とを相互に連結した状態で、対向間隔Ｔを第１対向間隔よりも大きい第２対向間隔にした状態において、面光源１００を光源固定装置２００から分離可能である。
【００４７】
具体的には、例えば、各軸支部３２０、３３０、３４０、３５０は、先端部がそれ以外の部分よりも大径に形成されており、各々の軸方向において、各ガイドレール３６１ａ、３７１ａ、３８１ａ、３９１ａから脱落しないようになっている。
ただし、ガイドレール３６１ａにおいて、対向間隔Ｔを第２対向間隔とした状態で軸支部３２０が到達する部分は、着脱部３６１ｂを構成している。ガイドレール３６１ａは、この着脱部３６１ｂでは、局所的にガイドレール３６１ａを形成するスリットの幅が広がっている。このため、対向間隔Ｔを第２対向間隔とした状態では、ガイドレール３６１ａの着脱部３６１ｂに対して相対的に、軸支部３２０をその軸方向に移動させることによって、軸支部３２０をガイドレール３６１ａから引き抜くことができるようになっている。
【００４８】
同様に、ガイドレール３７１ａにおいて、対向間隔Ｔを第２対向間隔とした状態で軸支部３３０が到達する部分は、着脱部３７１ｂを構成している。ガイドレール３７１ａは、この着脱部３７１ｂでは、局所的にガイドレール３７１ａを形成するスリットの幅が広がっている。このため、対向間隔Ｔを第２対向間隔とした状態では、ガイドレール３７１ａの着脱部３７１ｂに対して相対的に、軸支部３３０をその軸方向に移動させることによって、軸支部３３０をガイドレール３７１ａから引き抜くことができるようになっている。
【００４９】
このように軸支部３２０および軸支部３３０をガイドレール３６１ａおよびガイドレール３７１ａから引き抜くことにより、面光源１００をリンク部材３１０から取り外すことができる。
【００５０】
なお、第２対向間隔は、例えば、連結部材（第１連結部材３１１および第２連結部材３１２）を介して面光源１００と光源固定装置２００とを相互に連結した状態での最大の対向間隔Ｔである。
【００５１】
４つの案内部３６０、３７０、３８０、３９０は、面光源１００の面直方向に見たときの位置が互いに異なっている。このため、対向間隔Ｔを第１対向間隔としたときにも、案内部３６０が案内部３８０および３９０に対して干渉しないとともに、案内部３７０が案内部３８０および３９０に対して干渉しないようになっている。すなわち、第１案内部と第２案内部とは、面光源１００の面直方向に見たときの位置が互いに異なり、対向間隔Ｔを第１対向間隔としたときに、第１案内部と第２案内部とが互いに干渉しない。よって、例えば上記のように第１連結部材３１１および第２連結部材３１２が面光源１００および光源固定装置２００に対して平行になるまで、面光源１００を光源固定装置２００側に押し込むことができる。
【００５２】
なお、例えば図３に示すように、面光源１００の面直方向に見たときに、４つの案内部３６０、３７０、３８０、３９０によって、リンク部材３１０の周囲を囲む矩形の枠形状（ただし、連続的ではなく複数の部分に分断された枠形状）が形成されている。
より具体的には、例えば、面光源１００の面直方向に見たときに、連結軸３１３の長手方向における中心を基準として互いに点対称な位置に、案内部３６０と案内部３７０とが配置されている。同様に、例えば、面光源１００の面直方向に見たときに、連結軸３１３の長手方向における中心を基準として互いに点対称な位置に、案内部３８０と案内部３９０とが配置されている。また、例えば、面光源１００の面直方向に見たときに、連結軸３１３の軸方向を基準として互いに線対称な位置に、案内部３６０と案内部３８０とが配置されている。同様に、例えば、面光源１００の面直方向に見たときに、連結軸３１３の軸方向を基準として互いに線対称な位置に、案内部３７０と案内部３９０とが配置されている。また、例えば、面光源１００の面直方向に見たときに、連結軸３１３の長手方向における中心を通り且つ連結軸３１３の軸方向に対して直交する線を基準として互いに線対称な位置に、案内部３６０と案内部３９０とが配置されている。同様に、例えば、面光源１００の面直方向に見たときに、連結軸３１３の長手方向における中心を通り且つ連結軸３１３の軸方向に対して直交する線を基準として互いに線対称な位置に、案内部３７０と案内部３８０とが配置されている。
【００５３】
また、光源固定装置２００は、外部電源（図示略）から供給される電力を面光源１００へ供給する給電端子部４１３、４１４を有している。一方、面光源１００は、外部電源から供給される電力を受電する受電端子部４１１、４１２を有している。そして、対向間隔Ｔを第１対向間隔とすることにより、給電端子部４１３と受電端子部４１１とが相互に電気的に接続されるとともに、給電端子部４１４と受電端子部４１２とが相互に電気的に接続されるようになっている。
【００５４】
より具体的には、対向間隔Ｔを第１対向間隔とすることにより、給電端子部４１３と受電端子部４１１とが第１連結部材３１１を介して相互に電気的に接続されるとともに、給電端子部４１４と受電端子部４１２とが第２連結部材３１２を介して相互に電気的に接続されるようになっている。
【００５５】
つまり、連結部材を介して光源固定装置２００から面光源１００へ電力を供給可能なように、連結装置３００は構成されている。
【００５６】
第１連結部材３１１および第２連結部材３１２は、例えば、導体により構成されていることによって電力を伝導するものである。この場合、連結軸３１３を絶縁体により構成することによって、第１連結部材３１１と第２連結部材３１２とが相互に絶縁されている。
ただし、第１連結部材３１１および第２連結部材３１２は、その長手方向の両端間に亘って図示しない配線が形成されていることによって電力を伝導するものであっても良いし、図示しない導通線もしくは導体線が内部又は周囲に設けられていることによって電力を伝導するものであっても良い。
【００５７】
給電端子部４１３は、例えば、案内部３８０に設けられている。より具体的には、給電端子部４１３は、例えば、第２板状部３８２に設けられている。給電端子部４１３には、配線４２１が電気的に接続されており、配線４２１を介して、外部電源からの電力が給電端子部４１３に供給されるようになっている。
同様に、給電端子部４１４は、例えば、案内部３９０に設けられている。より具体的には、給電端子部４１４は、例えば、第２板状部３９２に設けられている。給電端子部４１４には、配線４２２が電気的に接続されており、配線４２２を介して、外部電源からの電力が給電端子部４１４に供給されるようになっている。
【００５８】
対向間隔Ｔを第１対向間隔とすることにより、導体からなる第１連結部材３１１、第１連結部材３１１に形成された配線、又は第１連結部材３１１に設けられた導通線もしくは導体線が、給電端子部４１３および受電端子部４１１にそれぞれ接触および電気的に接続し、給電端子部４１３と受電端子部４１１とが相互に電気的に接続されるようになっている。
同様に、対向間隔Ｔを第１対向間隔とすることにより、導体からなる第２連結部材３１２、第２連結部材３１２に形成された配線、又は第２連結部材３１２に設けられた導通線もしくは導体線が、給電端子部４１４および受電端子部４１２にそれぞれ接触および電気的に接続し、給電端子部４１４と受電端子部４１２とが相互に電気的に接続されるようになっている。
【００５９】
なお、対向間隔Ｔが第１対向間隔以外の間隔となっている状態では、給電端子部４１３と受電端子部４１１とが相互に電気的に接続されないとともに、給電端子部４１４と受電端子部４１２とが相互に電気的に接続されないようになっている。
【００６０】
例えば、受電端子部４１１は、後述する第１電極１３０（図７）に電気的に接続されており、受電端子部４１２は、後述する第２電極１５０（図７）に電気的に接続されている。そして、面光源１００の後述する発光素子１０２（図７）は、外部電源から供給される電力によって発光する。
【００６１】
次に、面光源１００の構成例を説明する。図４（ａ）〜（ｃ）は実施形態に係る発光装置の面光源１００の例を示す正面図であり、このうち図４（ａ）は第１例を、図４（ｂ）は第２例を、図４（ｃ）は第３例を、それぞれ示す。
【００６２】
図４（ａ）に示す第１例では、面光源１００は、発光パネル１０１と、発光パネル１０１の第２面１０１ｂに固定された案内部３６０および案内部３７０と、を備えている。
【００６３】
図４（ｂ）に示す第２例では、面光源１００は、発光パネル１０１と、発光パネル１０１の第２面１０１ｂに固定された案内部３６０および案内部３７０と、案内部３６０および案内部３７０に連結されたリンク部材３１０と、軸支部３２０、３３０、３４０、３５０と、を備えている。
【００６４】
なお、第２例の場合、リンク部材３１０は、案内部３６０および案内部３７０に対して着脱できない構成であっても良い。この場合、上述した着脱部３６１ｂおよび着脱部３７１ｂと同様の着脱機構を光源固定装置２００側の案内部３８０および案内部３９０にそれぞれ設け、リンク部材３１０を案内部３８０および案内部３９０に対して着脱できるようにすれば良い。
【００６５】
図４（ｃ）に示す第３例では、面光源１００は、発光パネル１０１と、発光パネル１０１の第２面１０１ｂに固定された案内部３６０および案内部３７０と、案内部３６０および案内部３７０に連結されたリンク部材３１０と、軸支部３２０、３３０、３４０、３５０と、リンク部材３１０に連結された案内部３８０および案内部３９０と、を備えている。この場合、リンク部材３１０は、案内部３６０および案内部３７０に対して着脱できるようになっているか、又は、案内部３８０および案内部３９０に対して着脱できるようになっている。
【００６６】
面光源１００は、第１〜第３例のように、第１案内部（案内部３６０および案内部３７０）を有する構造とすることができる。
この場合に、第１案内部（案内部３６０および案内部３７０）は、外部電源から供給される電力を受電する受電端子部４１１、４１２を有する構造とすることができる。
【００６７】
なお、面光源１００は、発光パネル１０１のみにより構成されていても良い。
【００６８】
次に、連結装置３００の構成例を説明する。図５（ａ）〜（ｄ）は実施形態に係る発光装置の連結装置３００の例を示す正面図であり、このうち図５（ａ）は第１例を、図５（ｂ）は第２例を、図５（ｃ）は第３例を、図５（ｄ）は第４例を、それぞれ示す。
【００６９】
図５（ａ）に示す第１例では、連結装置３００は、リンク部材３１０と、軸支部３２０、３３０、３４０、３５０と、を備えている。
【００７０】
図５（ｂ）に示す第２例では、連結装置３００は、リンク部材３１０と、軸支部３２０、３３０、３４０、３５０と、リンク部材３１０に連結された案内部３８０および案内部３９０と、を備えている。
【００７１】
図５（ｃ）に示す第３例では、連結装置３００は、リンク部材３１０と、軸支部３２０、３３０、３４０、３５０と、リンク部材３１０に連結された案内部３６０および案内部３７０と、リンク部材３１０に連結された案内部３８０および案内部３９０と、を備えている。
【００７２】
図５（ｄ）に示す第４例では、連結装置３００は、リンク部材３１０と、軸支部３２０、３３０、３４０、３５０と、リンク部材３１０に連結された案内部３６０および案内部３７０と、を備えている。
【００７３】
次に、光源固定装置２００の構成例を説明する。図６（ａ）〜（ｃ）は実施形態に係る発光装置の光源固定装置２００の例を示す正面図であり、このうち図６（ａ）は第１例を、図６（ｂ）は第２例を、図６（ｃ）は第３例を、それぞれ示す。
【００７４】
図６（ａ）に示す第１例では、光源固定装置２００は、ベース部材２０１と、ベース部材２０１に固定された案内部３８０および案内部３９０と、を備えている。
【００７５】
図６（ｂ）に示す第２例では、光源固定装置２００は、ベース部材２０１と、ベース部材２０１に固定された案内部３８０および案内部３９０と、案内部３８０および案内部３９０に連結されたリンク部材３１０と、軸支部３２０、３３０、３４０、３５０と、を備えている。
【００７６】
図６（ｃ）に示す第３例では、光源固定装置２００は、ベース部材２０１と、ベース部材２０１に固定された案内部３８０および案内部３９０と、案内部３８０および案内部３９０に連結されたリンク部材３１０と、軸支部３２０、３３０、３４０、３５０と、リンク部材３１０に連結された案内部３６０および案内部３７０と、を備えている。
【００７７】
このように、光源固定装置２００は、第２案内部（案内部３８０および案内部３９０）を有するものとして構成することができる。
【００７８】
また、光源固定装置２００は、外部電源から供給される電力を面光源１００へ供給する給電端子部４１３、４１４を有するものとして構成することができる。
【００７９】
なお、光源固定装置２００は、ベース部材２０１のみにより構成されていても良い。
【００８０】
上記の面光源１００の構成例、連結装置３００の構成例および光源固定装置２００の構成例のうち、互いに適合する面光源１００、連結装置３００および光源固定装置２００を選択的に組み合わせて用いることにより、発光装置を構成することができる。
【００８１】
図４（ａ）の面光源１００は、図５（ａ）の連結装置３００、および図６（ａ）の光源固定装置２００と組み合わせて用いることができる。なお、この場合、連結装置３００は、例えば、面光源１００を交換するためのオペレーション（後述）では光源固定装置２００側の案内部３８０および案内部３９０から取り外せないように、案内部３８０および案内部３９０に対して連結して用いられる。
【００８２】
或いは、図４（ａ）の面光源１００は、図５（ｂ）の連結装置３００、およびベース部材２０１のみにより構成される光源固定装置２００と組み合わせて用いることができる。この場合、連結装置３００の案内部３８０および案内部３９０は、例えばビス留めなどによりベース部材２０１に対して固定することができる。
或いは、図４（ａ）の面光源１００は、図６（ｂ）の光源固定装置２００と組み合わせて用いることができる。
【００８３】
また、図４（ｂ）の面光源１００は、図６（ａ）の光源固定装置２００と組み合わせて用いることができる。この場合、例えば、着脱部３６１ｂおよび着脱部３７１ｂと同様の着脱機構を光源固定装置２００側の案内部３８０および案内部３９０にそれぞれ設け、リンク部材３１０を案内部３８０および案内部３９０に対して着脱できるようにすることができる。
【００８４】
また、図４（ｃ）の面光源１００は、ベース部材２０１のみにより構成された光源固定装置２００と組み合わせて用いることができる。この場合、面光源１００の案内部３８０および案内部３９０は、例えばビス留めなどによりベース部材２０１に対して固定することができる。
【００８５】
また、図５（ｃ）の連結装置３００は、発光パネル１０１のみにより構成された面光源１００、およびベース部材２０１のみにより構成された光源固定装置２００と組み合わせて用いることができる。この場合、案内部３６０および案内部３７０は、例えばビス留めなどにより発光パネル１０１に固定することができる。同様に、案内部３８０および案内部３９０は、例えばビス留めなどによりベース部材２０１に対して固定することができる。
【００８６】
また、図５（ｄ）の連結装置３００は、発光パネル１０１のみにより構成された面光源１００、および図６（ａ）の光源固定装置２００と組み合わせて用いることができる。
【００８７】
また、図６（ｃ）の光源固定装置２００は、発光パネル１０１のみにより構成された面光源１００と組み合わせて用いることができる。
【００８８】
次に、面光源１００の発光パネル１０１の構成について説明する。図７は実施形態に係る発光装置の面光源１００の発光パネル１０１の構成の例を示す断面図である。
【００８９】
発光パネル１０１は、平板なパネル状に形成されている。一例として、発光パネル１０１の平面形状は、図１に示すような矩形状であることが挙げられるが、その他の多角形状（五角形、六角形など）でも良いし、円形、楕円形、長円形などでも良い。発光パネル１０１は、発光素子１０２と、この発光素子１０２が一方の面に設けられた固定板１６０と、を備えている。
【００９０】
発光素子１０２は、例えば、有機ＥＬ（Ｅｌｅｃｔｒｏ  Ｌｕｍｉｎｅｓｃｅｎｃｅ）素子であることが挙げられる。ただし、発光素子１０２は、有機ＥＬ素子に限らない。発光素子１０２は、例えば、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子１０２は、無機ＥＬ素子であっても良い。発光素子１０２の一方の面（図７の上面）は、発光パネル１０１の第１面１０１ａを構成している。第１面１０１ａは、光を放射する発光面となっている。
【００９１】
発光パネル１０１は、発光素子１０２を発光させる制御を行う電子回路を含んで構成されていても良いし、電子回路は、発光パネル１０１とは別体となっていても良い。
【００９２】
図７には、発光素子１０２が有機ＥＬ素子である場合の構成例を示している。この場合、発光素子１０２は、例えば、透光性基板１１０と、透光性の第１電極１３０と、有機機能層１４０と、第２電極１５０と、を有する。第１電極１３０は、透光性基板１１０の一方の面側（図７において下側）に配置されている。有機機能層１４０は、第１電極１３０を基準として透光性基板１１０とは反対側（図７において下側）に配置されている。第２電極１５０は、有機機能層１４０を基準として第１電極１３０とは反対側（図７において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００９３】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の第１面１０１ａ）となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面（上記の第１面１０１ａ）を構成していても良い。
【００９４】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００９５】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光パネル１０１の外部（つまり上記光放出空間）に放射される（取り出される）。
【００９６】
図示しない接続導体を介して、第１電極１３０には受電端子部４１１が電気的に接続されている。同様に、図示しない接続導体を介して、第２電極１５０には受電端子部４１２が電気的に接続されている。このため、対向間隔Ｔを第１対向間隔とすることにより、外部電源から発光素子１０２に電力を供給し、発光素子１０２を発光させることができる。
【００９７】
以下、有機機能層１４０の層構造のより具体的な例を説明する。
【００９８】
図８は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００９９】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【０１００】
なお、発光層１４３は、複数の色を発光するための材料を混ぜることにより、白色等の単一の発光色で発光するように構成されていても良い。
【０１０１】
図９は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【０１０２】
次に、図２（ａ）〜（ｃ）を参照して、動作を説明する。
【０１０３】
ここでは、図４（ａ）の面光源１００と、図６（ｂ）の光源固定装置２００とを組み合わせて用いる場合を例として説明する。
【０１０４】
面光源１００は、使用状態では、図２（ｂ）に示すように、対向間隔Ｔが第１対向間隔となった状態で、光源固定装置２００に設置されている。この場合に、ある面光源１００が劣化した場合等に、当該面光源１００を交換するには、以下に説明するようなオペレーションを行う。
なお、複数の面光源１００が互いに隙間無くタイリングされているものとする。つまり、交換対象となる面光源１００は、隣接する４つの面光源１００により囲まれており、当該交換対象となる面光源１００の面方向には移動できない状態であるものとする。
【０１０５】
例えば、先ず、第１面１０１ａを吸盤等で吸着保持し、面光源１００を光源固定装置２００から離間する方向に引っ張る。これにより、図２（ｃ）に示すように、対向間隔Ｔを広げて第２対向間隔とする。この状態で、ガイドレール３６１ａの着脱部３６１ｂから軸支部３２０を外すとともに、ガイドレール３７１ａの着脱部３７１ｂから軸支部３３０を外すことにより、面光源１００を光源固定装置２００から分離させることができる。このとき、対向間隔Ｔは、設置状態である第１対向間隔よりも広い第２対向間隔となっているため、交換する面光源１００の周囲に他の面光源１００が存在しない。よって、面光源１００を他の面光源１００と干渉させずにリンク部材３１０に対して相対的に移動させて、リンク部材３１０から取り外すことができる。
【０１０６】
次に、新しい面光源１００をリンク部材３１０に装着する。このためには、面光源１００をリンク部材３１０から取り外す動作とは逆のオペレーションを、新しい面光源１００に対して行う。
ここで、新しい面光源１００をリンク部材３１０に取り付ける際にも、取り付けられる面光源１００の周囲に他の面光源１００が存在しないため、面光源１００を他の面光源１００と干渉させずにリンク部材３１０に対して相対的に移動させて、リンク部材３１０に対して容易に装着することができる。
【０１０７】
そして、面光源１００を光源固定装置２００側に真っ直ぐに押し込むことにより、面光源１００は連結装置３００によってその面直方向へ案内されるので、面光源１００を設置位置へ移動させることができる。つまり、面光源１００の位置合わせに配慮しなくても、容易に面光源１００を所望の位置に収めることができる。
また、ここで、面光源１００を設置位置に移動させて対向間隔Ｔを第１対向間隔とすることにより、面光源１００と光源固定装置２００とが相互に電気的に接続される。
このため、面光源１００の背面側（光源固定装置２００側）と光源固定装置２００との接続（電気的接続および機械的接続）に配慮する必要が無い。
【０１０８】
なお、面光源１００を取り外す際には、対向間隔Ｔを第２対向間隔となるまで広げないと面光源１００がリンク部材３１０から外れないようになっている。このため、設置状態の面光源１００に対して何らかの外力が作用することなどにより、面光源１００が僅かに設置位置から引き出されてしまった場合でも、面光源１００がリンク部材３１０から脱落してしまう可能性は低い。
【０１０９】
以上、本実施形態によれば、発光装置は、面光源１００と、光源固定装置２００と、面光源１００と光源固定装置２００とを相互に連結する連結部材と、を備えている。連結部材は、面光源１００と光源固定装置２００とを相互に連結した状態で、面光源１００と光源固定装置２００との対向間隔Ｔを可変とさせるものである。連結部材を介して面光源１００と光源固定装置２００とを相互に連結した状態で面光源１００を光源固定装置２００側に移動させて、対向間隔Ｔを第１対向間隔とすることにより、面光源１００が光源固定装置２００に設置された設置状態となる。また、連結部材を介して面光源１００と光源固定装置２００とを相互に連結した状態で、対向間隔Ｔを第１対向間隔よりも大きい第２対向間隔にした状態において、面光源１００を光源固定装置２００から分離可能である。よって、複数の面光源１００をなるべく隙間無く並べて配置することが可能であるとともに、面光源１００が意図せず脱落してしまう可能性を低減することができる。
【０１１０】
また、連結部材を介して面光源１００と光源固定装置２００とを相互に連結した状態で、面光源１００をその面直方向に移動させることにより、対向間隔Ｔが変化するので、複数の面光源１００を実質的に隙間無く並べて配置することも可能である。
【０１１１】
また、発光装置は、連結部材が面光源１００に対して平行な第１回転軸周りに回動可能となるように、連結部材を面光源１００に対して軸支する第１軸支部と、連結部材が第１回転軸に対して平行な第２回転軸周りに回動可能となるように、連結部材を光源固定装置２００に対して軸支する第２軸支部と、第１軸支部を面光源１００に沿って案内する第１案内部と、第２軸支部を光源固定装置２００に沿って案内する第２案内部と、を備える。よって、対向間隔Ｔが変化するのに伴わせて、第１軸支部を面光源１００に沿って移動させるとともに、第２軸支部を光源固定装置２００に沿って移動させることにより、面光源１００を光源固定装置２００に対して相対的に、該面光源１００の面直方向に移動させることができる。
なお、本実施形態のように、Ｘリンクであるリンク部材３１０を介して面光源１００と光源固定装置２００とを相互に連結することにより、面光源１００を光源固定装置２００側に近づけたり、光源固定装置２００から遠ざけたりするだけで、自ずと第１軸支部が面光源１００に沿って移動するとともに、第２軸支部が光源固定装置２００に沿って移動するようにできる。
【０１１２】
また、第１案内部は、第１軸支部を案内する第１ガイドレールを含み、第２案内部は、第２軸支部を案内する第２ガイドレールを含む。よって、簡易な構成により、第１軸支部および第２軸支部をそれぞれ面光源１００および光源固定装置２００に沿って案内することができる。
【０１１３】
また、第１案内部と第２案内部とは、面光源１００の面直方向に見たときの位置が互いに異なり、対向間隔Ｔを第１対向間隔としたときに、第１案内部と第２案内部とが互いに干渉しない。よって、面光源１００に対して平行な方向に発光装置を見たときに、第１案内部と第２案内部とが重なる位置まで、面光源１００を光源固定装置２００側に押し込むことができる。よって、面光源１００を光源固定装置２００に設置した状態での発光装置の厚みを抑制することができる。具体的には、例えば、第１連結部材３１１および第２連結部材３１２が面光源１００および光源固定装置２００に対して平行になるまで、面光源１００を光源固定装置２００側に押し込むことができる。
【０１１４】
また、光源固定装置２００は、外部電源から供給される電力を面光源へ供給する給電端子部４１３、４１４を有し、面光源１００は、外部電源から供給される電力を受電する受電端子部４１１、４１２を有している。そして、対向間隔Ｔを第１対向間隔とすることにより、給電端子部４１３、４１４と受電端子部４１１、４１２とが相互に電気的に接続される。よって、面光源１００を光源固定装置２００側に押し込むだけで、面光源１００に電力を供給する状態にすることができる。また、対向間隔Ｔが第１対向間隔となる前に面光源１００に電力が供給されてしまうという不都合が生じないようにできる。
【０１１５】
また、対向間隔Ｔを第１対向間隔とすることにより、給電端子部４１３、４１４と受電端子部４１１、４１２とが連結部材を介して相互に電気的に接続されるので、連結部材が電力の供給機能を兼ねるようにできる。
【０１１６】
また、第２対向間隔は、連結部材を介して面光源１００と光源固定装置２００とを相互に連結した状態での最大の対向間隔であるので、面光源１００を光源固定装置２００から分離できる対向間隔Ｔが分かりやすい。
【実施例】
【０１１７】
（実施例１）
図１０（ａ）および（ｂ）は実施例１に係る発光装置の正面図である。このうち図１０（ａ）は面光源１００と光源固定装置２００との対向間隔を第１対向間隔よりも広げた状態を示し、図１０（ｂ）は面光源１００と光源固定装置２００との対向間隔を第１対向間隔とした状態を示す。本実施例に係る発光装置は、以下に説明する点で上記の実施形態に係る発光装置と相違し、その他の点では実施形態に係る発光装置と同様に構成されている。
【０１１８】
本実施例の場合、発光パネル１０１の第２面１０１ｂには、第１係合部１７０が設けられ、ベース部材２０１の第１面２０１ａには、第２係合部２７０が設けられている。第１係合部１７０と第２係合部２７０とは、互いに対向する位置に配置されている。対向間隔Ｔが第１対向間隔となることにより、第１係合部１７０と第２係合部２７０とが相互に係合し、面光源１００が光源固定装置２００から離間する方向へ移動してしまうことを、ある程度の力で規制できるようになっている。例えば、第１係合部１７０および第２係合部２７０は、係合爪とすることができる。なお、第１係合部１７０と第２係合部２７０との係合が外れる程度の大きさの力で、面光源１００を光源固定装置２００から離間する方向へ引っ張ることにより、面光源１００を光源固定装置２００から離間させることができるようになっている。
【０１１９】
本実施例の場合、第１係合部１７０および第２係合部２７０を介して、光源固定装置２００から面光源１００へと電力を供給するようにしても良い。
【０１２０】
本実施例によれば、上記の実施形態と同様の効果が得られる他、第１係合部１７０と第２係合部２７０とが係合することにより、面光源１００が光源固定装置２００から離間してしまうことを抑制することができる。
【０１２１】
（実施例２）
図１１（ａ）は実施例２に係る発光装置の正面図、図１１（ｂ）は実施例２に係る発光装置の連結装置３００等を示す平面図である。本実施例に係る発光装置は、以下に説明する点で上記の実施形態に係る発光装置と相違し、その他の点では実施形態に係る発光装置と同様に構成されている。
【０１２２】
上記の実施形態では、リンク部材３１０がＸリンクである例を説明したが、本実施例の場合、リンク部材３１０はＬ字リンクである。そして、例えば、光源固定装置２００側にのみ案内部（案内部３８０、３９０）を設け、面光源１００側には案内部を設けない。
【０１２３】
連結装置３００は、例えば、ベース部材２０１の第１面２０１ａに固定された案内部３９０および案内部３８０と、第１連結部材３１５と、第２連結部材３１６と、軸支部３２０、３４０、３５０と、支持部材４１０と、を備えている。
【０１２４】
支持部材４１０は、例えば板状のブラケットであり、発光パネル１０１の第２面１０１ｂに固定されている。支持部材４１０には、共通の軸支部３２０によって第１連結部材３１５および第２連結部材３１６の各々の一端部が軸支されている。なお、軸支部３２０は、第１連結部材３１５および第２連結部材３１６によってそれぞれ軸受けされており、第１連結部材３１５および第２連結部材３１６に対して該軸支部３２０の軸周りに回転可能となっている。
【０１２５】
第１連結部材３１５および第２連結部材３１６は、第１連結部材３１１および第２連結部材３１２と同様の構造のものである。
【０１２６】
第１連結部材３１５の他端部には軸支部３４０が設けられている。第１連結部材３１５は、軸支部３４０がガイドレール３８１ａに保持されることにより、光源固定装置２００に軸支されている。
【０１２７】
同様に、第２連結部材３１６の他端部には軸支部３５０が設けられている。第２連結部材３１６は、軸支部３５０がガイドレール３９１ａに保持されることにより、光源固定装置２００に軸支されている。
【０１２８】
なお、案内部３８０のガイドレール３８１ａおよび案内部３９０のガイドレール３９１ａには、着脱部３６１ｂ、３７１ｂと同様の着脱部３８１ｂ、３９１ｂがそれぞれ形成されている。これにより、対向間隔Ｔが第２対向間隔となった状態において、案内部３８０から第１連結部材３１５を、案内部３９０から第２連結部材３１６を、それぞれ取り外すことができるようになっている。
【０１２９】
本実施例の場合、対向間隔Ｔを第１対向間隔としたときに、第１連結部材３１５の長手方向と第２連結部材３１６の長手方向とが互いに平行となる（第１連結部材３１５と第２連結部材３１６とが実質的に同一直線上に位置する）ようになっている。また、このとき、支持部材４１０が案内部３８０の第１板状部３８１と案内部３９０の第１板状部３９１と間に入り込み、支持部材４１０が案内部３８０および案内部３９０と干渉しないようになっている。これにより、発光装置の厚みが抑制されるようになっている。
【０１３０】
本実施例の場合も、面光源１００を光源固定装置２００側に移動させる動作と、面光源１００を光源固定装置２００から遠ざける動作を、実施形態と同様に行うことができる。
【０１３１】
次に、面光源１００の構成例を説明する。図１２（ａ）および（ｂ）は実施例２に係る発光装置の面光源１００の例を示す正面図であり、このうち図１２（ａ）は第１例を、図１２（ｂ）は第２例を、それぞれ示す。
【０１３２】
図１２（ａ）に示す第１例では、面光源１００は、発光パネル１０１と、第２面１０１ｂに固定された支持部材４１０と、支持部材４１０に連結されたリンク部材３１０と、軸支部３２０、３４０、３５０と、を備えている。
【０１３３】
図１２（ｂ）に示す第２例では、面光源１００は、図１２（ａ）の構成に加えて、リンク部材３１０に連結された案内部３８０、３９０を備えている。
【０１３４】
なお、面光源１００は、発光パネル１０１のみにより構成されていても良い。
【０１３５】
次に、連結装置３００の構成例を説明する。図１３（ａ）および（ｂ）は実施例２に係る発光装置の連結装置３００の例を示す正面図であり、このうち図１３（ａ）は第１例を、図１３（ｂ）は第２例を、それぞれ示す。
【０１３６】
図１３（ａ）に示す第１例では、連結装置３００は、支持部材４１０と、支持部材４１０に連結されたリンク部材３１０と、軸支部３２０、３４０、３５０と、を備えている。
【０１３７】
図１３（ｂ）に示す第２例では、連結装置３００は、図１３（ａ）の構成に加えて、リンク部材３１０に連結された案内部３８０、３９０を備えている。
【０１３８】
次に、光源固定装置２００の構成例を説明する。図１４（ａ）および（ｂ）は実施例２に係る発光装置の光源固定装置２００の例を示す正面図であり、このうち図１４（ａ）は第１例を、図１４（ｂ）は第２例を、それぞれ示す。
【０１３９】
図１４（ａ）に示す第１例では、光源固定装置２００は、ベース部材２０１と、第１面２０１ａに固定された案内部３８０、３９０と、を備えている。
【０１４０】
図１４（ｂ）に示す第２例では、光源固定装置２００は、図１４（ａ）の構成に加えて、案内部３８０、３９０に連結されたリンク部材３１０と、軸支部３２０、３４０、３５０と、リンク部材３１０に連結された支持部材４１０と、を備えている。
【０１４１】
なお、光源固定装置２００は、ベース部材２０１のみにより構成されていても良い。
【０１４２】
本実施例の場合も、上記の面光源１００の構成例、連結装置３００の構成例および光源固定装置２００の構成例のうち、互いに適合する面光源１００、連結装置３００および光源固定装置２００を選択的に組み合わせて用いることにより、発光装置を構成することができる。
【０１４３】
図１２（ａ）の面光源１００は、図１４（ａ）の光源固定装置２００と組み合わせて用いることができる。
【０１４４】
図１２（ｂ）の面光源１００は、ベース部材２０１のみにより構成された光源固定装置２００と組み合わせて用いることができる。
【０１４５】
図１３（ａ）の連結装置３００は、発光パネル１０１のみにより構成された面光源１００、および図１４（ａ）の光源固定装置２００と組み合わせて用いることができる。
【０１４６】
図１３（ｂ）の連結装置３００は、発光パネル１０１のみにより構成された面光源１００、およびベース部材２０１のみにより構成された光源固定装置２００と組み合わせて用いることができる。
【０１４７】
図１４（ｂ）の光源固定装置２００は、発光パネル１０１のみにより構成された面光源１００と組み合わせて用いることができる。
【０１４８】
なお、本実施例の場合も、発光装置は、実施例１と同様の第１係合部１７０および第２係合部２７０を備えていても良い。
【０１４９】
以上のような実施例２によっても、上記の実施形態と同様の効果が得られる。また、上記の実施形態よりも、連結装置３００、ひいては発光装置を簡素な構成とすることができる。
【０１５０】
（実施例３）
図１５（ａ）は実施例３に係る発光装置の正面図、図１５（ｂ）は実施例３に係る発光装置の連結装置３００等を示す平面図である。本実施例に係る発光装置は、以下に説明する点で上記の実施形態に係る発光装置と相違し、その他の点では実施形態に係る発光装置と同様に構成されている。
【０１５１】
上記の実施形態では、リンク部材３１０がＸリンクである例を説明したが、本実施例の場合、リンク部材３１０はＩ字リンクである。すなわち、リンク部材３１０は、１本の第１連結部材３１１のみにより構成されている。発光装置が備える案内部は、ベース部材２０１の第１面２０１ａに固定された案内部３８０と、発光パネル１０１の第２面１０１ｂに設けられた案内部３６０と、の２つである。
【０１５２】
本実施例の場合、単に面光源１００を光源固定装置２００側に押すだけでは、面光源１００が所定の設置位置に設置されず、面光源１００をその面方向において位置合わせする必要がある。ただし、オペレータが面光源１００を適切に移動させることにより、面光源１００をその面直方向に移動させることも可能である。
【０１５３】
本実施例の場合、リンク部材３１０が１本の第１連結部材３１１のみにより構成されているため、面光源１００を光源固定装置２００側に移動させるときに、軸支部３２０、３４０をそれぞれガイドレール３６１ａ、３８１ａの外側へと移動させることが困難である。そこで、ガイドレール３６１ａは、外側ほど第１面２０１ａから遠ざかるように傾斜し、ガイドレール３８１ａは、外側ほど第２面１０１ｂから遠ざかるように傾斜している。これにより、面光源１００を光源固定装置２００側に移動させるときは、軸支部３２０、３４０がそれぞれガイドレール３６１ａ、３８１ａの外側（受電端子部４１１側および給電端子部４１３側）へとスムーズに移動するようになっている。また、面光源１００を光源固定装置２００から遠ざかる方向へ移動させるときには、軸支部３２０、３４０がそれぞれガイドレール３６１ａ、３８１ａの内側（受電端子部４１１側とは反対側（着脱部３６１ｂ側）および給電端子部４１３とは反対側）へとスムーズに移動するようになっている。これにより、面光源１００の着脱が容易であるとともに、対向間隔Ｔを第１対向間隔とすることにより確実に光源固定装置２００と面光源１００とを相互に電気的に接続できるようになっている。
【０１５４】
なお、本実施例の場合、リンク部材３１０は１本の第１連結部材３１１のみにより構成されているため、リンク部材３１０を介した給電ラインとは別に、少なくとももう１つの給電ラインを設けることが好ましい。具体的には、例えば、実施例１と同様の第１係合部１７０および第２係合部２７０を設け、第１係合部１７０および第２係合部２７０を介して、光源固定装置２００から面光源１００へと電力を供給できるようにすることができる。
【０１５５】
次に、面光源１００の構成例を説明する。図１６（ａ）〜（ｃ）は実施例３に係る発光装置の面光源１００の例を示す正面図であり、このうち図１６（ａ）は第１例を、図１６（ｂ）は第２例を、図１６（ｃ）は第３例を、それぞれ示す。
【０１５６】
図１６（ａ）に示す第１例では、面光源１００は、発光パネル１０１と、第２面１０１ｂに固定された案内部３６０と、を備えている。
【０１５７】
図１６（ｂ）に示す第２例では、面光源１００は、図１６（ａ）の構成に加えて、案内部３６０に連結されたリンク部材３１０（第１連結部材３１１）と、軸支部３２０、３４０と、を備えている。
【０１５８】
図１６（ｃ）に示す第３例では、面光源１００は、図１６（ｂ）の構成に加えて、リンク部材３１０に連結された案内部３８０を備えている。
【０１５９】
なお、面光源１００は、発光パネル１０１のみにより構成されていても良い。
【０１６０】
次に、連結装置３００の構成例を説明する。図１７（ａ）〜（ｄ）は実施例３に係る発光装置の連結装置３００の例を示す正面図であり、このうち図１７（ａ）は第１例を、図１７（ｂ）は第２例を、図１７（ｃ）は第３例を、図１７（ｄ）は第４例を、それぞれ示す。
【０１６１】
図１７（ａ）に示す第１例では、連結装置３００は、リンク部材３１０（第１連結部材３１１）と、軸支部３２０、３４０と、を備えている。
【０１６２】
図１７（ｂ）に示す第２例では、連結装置３００は、図１７（ａ）の構成に加えて、リンク部材３１０に連結された案内部３８０を備えている。
【０１６３】
図１７（ｃ）に示す第３例では、連結装置３００は、図１７（ｂ）の構成に加えて、リンク部材３１０に連結された案内部３６０を備えている。
【０１６４】
図１７（ｄ）に示す第３例では、連結装置３００は、図１７（ａ）の構成に加えて、リンク部材３１０に連結された案内部３６０を備えている。
【０１６５】
次に、光源固定装置２００の構成例を説明する。図１８（ａ）〜（ｃ）は実施例３に係る発光装置の光源固定装置２００の例を示す正面図であり、このうち図１８（ａ）は第１例を、図１８（ｂ）は第２例を、図１８（ｃ）は第３例を、それぞれ示す。
【０１６６】
図１８（ａ）に示す第１例では、光源固定装置２００は、ベース部材２０１と、第１面２０１ａに固定された案内部３８０を備えている。
【０１６７】
図１８（ｂ）に示す第２例では、光源固定装置２００は、図１８（ａ）の構成に加えて、案内部３８０に連結されたリンク部材３１０と、軸支部３２０、３４０と、を備えている。
【０１６８】
図１８（ｃ）に示す第３例では、光源固定装置２００は、図１８（ｂ）の構成に加えて、リンク部材３１０に連結された案内部３６０を備えている。
【０１６９】
なお、光源固定装置２００は、ベース部材２０１のみにより構成されていても良い。
【０１７０】
本実施例の場合も、上記の面光源１００の構成例、連結装置３００の構成例および光源固定装置２００の構成例のうち、互いに適合する面光源１００、連結装置３００および光源固定装置２００を選択的に組み合わせて用いることにより、発光装置を構成することができる。
【０１７１】
図１６（ａ）の面光源１００は、図１７（ａ）の連結装置３００、および図１８（ａ）の光源固定装置２００と組み合わせて用いることができる。
或いは、図１６（ａ）の面光源１００は、図１７（ｂ）の連結装置３００、およびベース部材２０１のみにより構成された光源固定装置２００と組み合わせて用いることができる。
或いは、図１６（ａ）の面光源１００は、図１８（ｂ）の光源固定装置２００と組み合わせて用いることができる。
【０１７２】
図１６（ｂ）の面光源１００は、図１８（ａ）の光源固定装置２００と組み合わせて用いることができる。
【０１７３】
図１６（ｃ）の面光源１００は、ベース部材２０１のみにより構成された光源固定装置２００と組み合わせて用いることができる。
【０１７４】
図１７（ｃ）の連結装置３００は、発光パネル１０１のみにより構成された面光源１００、およびベース部材２０１のみにより構成された光源固定装置２００と組み合わせて用いることができる。
【０１７５】
図１７（ｄ）の連結装置３００は、発光パネル１０１のみにより構成された面光源１００、および図１８（ａ）の光源固定装置２００と組み合わせて用いることができる。
【０１７６】
図１８（ｃ）の光源固定装置２００は、発光パネル１０１のみにより構成された面光源１００と組み合わせて用いることができる。
【０１７７】
本実施例によっても、上記の実施形態と同様の効果が得られる。
【０１７８】
以上、図面を参照して実施形態及び実施例について述べたが、これらは本発明の例示であり、上記以外の様々な構成を採用することもできる。
【符号の説明】
【０１７９】
１００ 面光源
２００ 光源固定装置
３００ 連結装置
３１１ 第１連結部材（連結部材）
３１２ 第２連結部材（連結部材）
３２０ 軸支部（第１軸支部）
３３０ 軸支部（第１軸支部）
３４０ 軸支部（第２軸支部）
３５０ 軸支部（第２軸支部）
３６０ 案内部（第１案内部）
３６１ａ ガイドレール（第１ガイドレール）
３７０ 案内部（第１案内部）
３７１ａ ガイドレール（第１ガイドレール）
３８０ 案内部（第２案内部）
３８１ａ ガイドレール（第２ガイドレール）
３９０ 案内部（第２案内部）
３９１ａ ガイドレール（第２ガイドレール）
４１１ 受電端子部
４１２ 受電端子部
４１３ 給電端子部
４１４ 給電端子部
【図１】
2014235865.tif 000003
【図２】
2014235865.tif 000004
【図３】
2014235865.tif 000005
【図４】
2014235865.tif 000006
【図５】
2014235865.tif 000007
【図６】
2014235865.tif 000008
【図７】
2014235865.tif 000009
【図８】
2014235865.tif 000010
【図９】
2014235865.tif 000011
【図１０】
2014235865.tif 000012
【図１１】
2014235865.tif 000013
【図１２】
2014235865.tif 000014
【図１３】
2014235865.tif 000015
【図１４】
2014235865.tif 000016
【図１５】
2014235865.tif 000017
【図１６】
2014235865.tif 000018
【図１７】
2014235865.tif 000019
【図１８】
2014235865.tif 000020